(57)【要約】  【課題】横長のショーケース等の収納体においてもイオン発生素子と送風機の数を増やすことなく、イオンを均一に拡散させることができる収納装置を提供する。  【解決手段】ショーケース、書庫、陳列棚、食器棚、本棚等の収納体１２に、空気中にイオンを放出するイオン発生素子１３と、そのイオンを送り出すための送風機１４とを備え、イオン発生素子１３を収納体１２に沿って左右方向に周期的に移動させ、イオンを収納体１２の左右方向で全域に均一に拡散させる。【選択図】  図１
2006095171.tif 000002
【特許請求の範囲】
【請求項１】
収納体に、空気中にイオンを放出するイオン発生素子と、そのイオンを送り出すための送風機とを備え、前記イオン発生素子が収納体に沿って移動することを特徴とする収納装置。
【請求項２】
収納体に、空気中にイオンを放出するイオン発生素子と、そのイオンを送り出すための送風機とを備え、前記イオン発生素子が収納体に沿って左右方向に移動することを特徴とする収納装置。
【請求項３】
収納体に、空気中にイオンを放出するイオン発生素子と、そのイオンを送り出すための送風機とを備え、前記イオン発生素子が左右方向に移動するのと同期して前記送風機も左右方向に移動することを特徴とする収納装置。
【請求項４】
収納体に、空気中にイオンを放出するイオン発生素子と、そのイオンを送り出すための送風機とを備え、前記イオン発生素子が上下に移動することを特徴とする収納装置。
【請求項５】
収納体に、空気中にイオンを放出するイオン発生素子と、そのイオンを送り出すための送風機とを備え、前記イオン発生素子が上下左右に楕円を描くように回転し、前記送風機がイオン発生素子と縦軸を合わせて左右に移動することを特徴とする収納装置。
【請求項６】
前記イオン発生素子及び／又は送風機が周期的に移動することを特徴とする請求項１〜５のいずれか一項に記載の収納装置。
【発明の詳細な説明】
【技術分野】
【０００１】
本発明は、スーパーやコンビニエンスストア等の食品売り場で使われているショーケース等の収納体において、イオンを拡散して収納体内の雑菌やカビの増殖防止を図ることができる収納装置に関するものである。
【背景技術】
【０００２】
図６は従来のショーケース等の収納装置を正面から見たイオン発生素子と送風機の配置図である。従来の収納装置においては、収納体１の背面側に形成された通気路の中央付近にイオン発生素子３が配置固定され、その下方に固定した送風機４を使ってイオンを上方へ運び、収納体１の上部に形成されたイオン吹き出し口５からイオンを放出できるようになっている。そして、イオンの左右方向への拡散は風向板６を使って行うようになっている。
【０００３】
また、特許文献１には、冷気が循環する通風路内にプラズマを生成してオゾンや活性酸素を発生させるプラズマ生成部と、コロナ放電により循環冷気から放出させた電子をオゾンや活性酸素に放射し、高濃度の負イオン、酸素ラジカル、極性濃度のオゾンを含む電子風を発生させる放電部とを設け、電子風によりショーケース内の雑菌やカビの増殖防止を図るショーケースが開示されている。    
【特許文献１】特開２００１−２２１５６５号公報（要約参照）
【発明の開示】
【発明が解決しようとする課題】
【０００４】
ところで、図６に示す従来例においては、横幅の長いショーケースに対してもイオン発生素子と送風機を中央に各１個だけ配置して風向板を使って左右にイオンを拡散させているが、ショーケースの左右両端のイオン量は中央付近と比べて少なくなってしまう等、場所によって同じショーケース内でもイオン量に差が出てしまう。この点は特許文献１に開示のショーケースにおいても同様である。
【０００５】
本発明は、横長のショーケースにおいてもイオン発生素子と送風機の数を増やすことなく、イオンを均一に拡散させることができる収納装置の提供を目的とするものである。  
【課題を解決するための手段】
【０００６】
上記目的を達成するために、本発明の収納装置においては、収納体に、空気中にイオンを放出するイオン発生素子と、そのイオンを送り出すための送風機とを備え、前記イオン発生素子が収納体に沿って移動することを特徴としている。
【０００７】
上記構成においては、イオン発生素子が移動自在になっているので、イオン発生素子を収納体に沿って移動することができ、イオンを収納体の全域に均一に拡散することができる。
【０００８】
イオン発生素子の移動方向は、収納体に沿って左右方向、上下方向のいずれであってもよい。また、イオン発生素子が左右方向に移動するのに同期させて送風機も左右方向に移動するようにすることができる。これにより、発生したイオンを追随する送風機により効率良く拡散することができる。
【０００９】
また、イオン発生素子は上下左右に楕円を描くように回転させることができる。この際、送風機をイオン発生素子と縦軸を合わせて左右に移動することで、上記と同様にイオンを効率良く拡散することができる。
【００１０】
なお、イオン発生素子及び／又は送風機の移動は、随時あるいは周期的に移動する場合のいずれであってもよいが、周期的に移動させることで、収納体内の雑菌やカビの増殖防止を図ることができ、空気浄化を行うことができる。
【発明の効果】
【００１１】
本発明によると、イオン発生素子や送風機を固定せずに移動させることによって、横長のショーケースにおいても中央付近にイオンが集中することなく収納体の全域に亘って均一にイオンを拡散させることができる。
【発明を実施するための最良の形態】
【００１２】
＜第１の実施形態＞
図１は本発明の第1の実施形態である収納装置におけるイオン発生素子と送風機との配置を示す正面図、図２は同じくその側面断面図である。
【００１３】
図に示すように、収納装置１１は、収納体１２と、空気中にイオンを放出するイオン発生素子１３と、そのイオンを送り出すための送風機１４とを備え、イオン発生素子１３が収納体１２に沿って左右方向に移動できるようになっている。
【００１４】
収納体１２は、ショーケースであって、食品等の商品を陳列する陳列台１２ａと、その背面側から立設される陳列棚１２ｂと、陳列棚１２ｂの上部から前方に突出するひさし部１２ｃとを備え、陳列棚１２ｂの背面側には、下部の空気吸込口１５からひさし部１２ｃの空気吹出し口１６に至る空気通路１７が形成されている。この空気吹出口１６は、図１に示すように、左右方向で収納体１２の全域に亘って開口している。
【００１５】
また、空気吸込口１５は、収納体１２の中央付近に形成され、この吸込口１５の近傍に送風機１４が配置されている。そして、空気通路１７では、送風機１４により空気吸込口５から吸い込んだ空気を空気吹出口１６の全域に流れるように吹出すようになっている。
【００１６】
空気通路１７には、送風機１４の上方側にあって、イオン発生素子１３を左右方向に移動自在に案内する案内手段としてのレール１８が収納体１２の左右両端部まで設けられている。イオン発生素子１３は、このレール１８に沿ってモータなどの移動手段（図示略）により移動できるようになっている。
【００１７】
イオン発生素子１３の移動手段は、モータを例示したが、チェーンやワイヤ、さらにはシリンダによって構成してもよい。この移動手段は、図示しない制御部により、イオン発生素子１３が周期的に往復動するように制御される。
【００１８】
イオン発生素子１３は、例えば、セラミックなどの平板状の誘電体の表面に設けられた表面電極と、誘電体の内部に埋設され且つ前記表面電極と平行に設けられた内部電極との間に交流電圧を印加することにより、空気中の酸素ないしは水分が電離によりエネルギーを受けてイオン化し、正イオンであるＨ+(Ｈ2Ｏ)m（ｍは任意の自然数）と負イオンであるＯ2-(Ｈ2Ｏ)n（ｎは任意の自然数）を主体としたイオンを生成し、これらを空間に放出させるものである。
【００１９】
これらＨ+(Ｈ2Ｏ)m及びＯ2-(Ｈ2Ｏ)nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２０】
上記構成において、イオン発生素子１３が移動自在になっているので、イオン発生素子を収納体に沿って周期的に左右方向に移動させると、イオンを含んだ空気は、送風機１４により収納体の吹出口の左右方向で全域に亘って均一に拡散することができる。
【００２１】
＜第２の実施形態＞
図３は、本発明の第２の実施形態である収納装置におけるイオン発生素子と送風機との配置関係を示す正面図である。図に示すように、本実施形態における収納装置１１では、収納体１２に、空気中にイオンを放出するイオン発生素子１３と、そのイオンを送り出すための送風機１４とを備え、イオン発生素子１３が左右方向に移動するのと同期して前記送風機１４も左右方向に移動する。
【００２２】
陳列台１２ａの底部には、案内手段としてレール２０が左右方向全域に配置され、送風機１４がモータなどの移動手段により、レール２０に沿って左右方向に移動できるようになっている。この送風機１４の上方にイオン発生素子１３がレール１８に沿って左右方向に移動できるようになっている。
【００２３】
上記構成においては、イオン発生素子１３の左右方向の移動と同期して送風機１４も左右方向に移動するので、イオン発生位置の直下に送風機１４を配置して効率良くイオンを含んだ空気を吹出口から収納体の前面に吹出すことができる。その他の構成および作用効果は上記第１の実施形態と同様である。
【００２４】
＜第３の実施形態＞
図４は本発明の第３の実施形態である収納装置におけるイオン発生素子と送風機との配置を示す正面図である。図に示すように、本実施形態における収納装置１１は、収納体１２の左右方向で中央付近に、空気中にイオンを放出するイオン発生素子１３と、そのイオンを送り出すための送風機１４とを備え、前記イオン発生素子１３が上下方向に周期的に移動できるようになっている。
【００２５】
イオン発生素子１３を上下方向に案内する案内手段として、収納体１２の左右方向で中央位置付近に縦方向に走るレール２２が設けられ、イオン発生素子１３は、このレール２２に沿ってモータなどの上下移動手段により上下方向に移動案内される。
【００２６】
イオン発生素子１３の近傍には、風向板２４が設けられ、この風向板２４により、イオンの左右方向への拡散が行われるようになっている。収納体１２、イオン発生素子１３、送風機１４の構成は上記第１の実施形態と同様であり、送風機１４は、陳列台１２ａの左右方向中央付近で収納体１２に固定されている。
【００２７】
上記構成においては、イオン発生素子１３が上下方向に周期的に移動するので、イオンを収納体の上下方向の全域に亘って均一に拡散することができる。また、イオン発生素子１３の近傍に設けられた風向板２４により、イオンの左右方向への拡散が行われる。
【００２８】
＜第４の実施形態＞
図５は本発明の第４の実施形態である収納装置におけるイオン発生素子と送風機との配置を示す正面図である。図に示すように、本実施形態における収納装置１１は、収納体１２に、空気中にイオンを放出するイオン発生素子１３と、そのイオンを送り出すための送風機１４とを備え、イオン発生素子１３が上下左右に楕円を描くように回転し、送風機１４がイオン発生素子１３と縦軸を合わせて左右に移動できるようになっている。
【００２９】
イオン発生素子１３を上下左右に楕円を描くように回転させる回転機構２５としては、収納体１２の空気通路１７の外周に沿って配置されたチェーン２６及びこれを駆動するモータが例示できる。
【００３０】
また、送風機１４を左右方向に移動案内する手段は、上記第２の実施形態と同様であるので、その説明を省略する。
【００３１】
上記構成においては、イオン発生素子１３が収納体１２に沿って、その外周を周回するので、イオンは上下左右に拡散され、イオン吹出口１６から放出される。このとき、送風機１４をイオン発生素子１３と縦軸を合わせて左右に移動することで、イオンの拡散を効率よく、かつ均一に拡散することができる。
【００３２】
なお、本発明は上記実施形態に限定されるものではなく、本発明の範囲内で多くの修正・変更を加えることができるのは勿論である。例えば、上記実施形態では、収納体としてショーケースを例示したが、ショーケースに限らず書庫、陳列棚、食器棚、本棚等の他の収納体であっても本発明を適用することができる。また、イオン発生素子および送風機を移動案内する手段は、上記例示のものに限定されるものではない。
【図面の簡単な説明】
【００３３】
【図１】本発明の第1の実施形態である収納装置におけるイオン発生素子と送風機との配置を示す正面図
【図２】図1の収納装置の側面断面図
【図３】本発明の第２の実施形態である収納装置におけるイオン発生素子と送風機との配置を示す正面図
【図４】本発明の第３の実施形態である収納装置におけるイオン発生素子と送風機との配置を示す正面図
【図５】本発明の第４の実施形態である収納装置におけるイオン発生素子と送風機との配置を示す正面図
【図６】従来のショーケースにおけるイオン発生素子と送風機の配置図
【符号の説明】
【００３４】
１１    収納装置
１２    収納体
１３    イオン発生素子
１４    送風機
１５    空気吸込口
１６    空気吹出口
１７    空気通路
１８    レール
【図１】
2006095171.tif 000003
【図２】
2006095171.tif 000004
【図３】
2006095171.tif 000005
【図４】
2006095171.tif 000006
【図５】
2006095171.tif 000007
【図６】
2006095171.tif 000008